(57)【特許請求の範囲】
【請求項１】
それぞれ被制御装置が接続される複数の接続手段と、
各接続手段に接続された被制御装置に供給する電流の消費電流値を計測すると共に、計測された消費電流値に応じて前記被制御装置に供給する電流のオン／オフを制御する制御手段と、
前記被制御装置に対して所定のコマンドを送信し、その応答を受信する通信手段と、
各接続手段に関連付けられた識別情報及び前記制御手段による前記被制御装置への電流供給のオン／オフを決定する各接続手段に関連付けられた条件を規定する条件データを記憶する記憶手段と、
前記制御手段により計測された被制御装置の消費電流値に基づいて当該被制御装置の状態を監視すると共に、前記通信手段が受信した前記所定のコマンドに対する応答により前記被制御装置の死活状態を監視する監視手段とを備え、
前記監視手段は、前記条件データに基づいて、前記制御手段による電流供給のオン／オフを制御し、前記複数の被制御装置が入れ換えられて前記複数の接続手段に接続されたときに、前記監視手段は、当該複数の被制御装置の入れ換え先に応じて前記記憶手段に記憶された識別情報及び条件データの入れ換えを実行することを特徴とする電源制御装置。
【請求項２】
前記記憶手段は、前記複数の被制御装置の正常な電源オン時の消費電流値、前記複数の被制御装置の正常な電源オフ時の消費電流値、前記複数の被制御装置の正常な待機時の消費電流値、及び前記複数の被制御装置の正常な起動時の消費電流値を記憶し、
前記監視手段は、前記制御手段により計測された電流値と前記記憶手段に記憶された各種の消費電流値とを比較することにより、前記複数の被制御装置の状態を判断することを特徴とする請求項１に記載の電源制御装置。
【請求項３】
前記監視手段は、前記複数の被制御装置の監視結果に基づいて、前記複数の被制御装置に供給する電流をオン又はオフにするように前記制御手段を制御する、及び前記複数の被制御装置の監視結果に基づいて、前記複数の被制御装置を再起動させるように前記制御手段を制御するのうちいずれか一方を実行することを特徴とする請求項１又は２に記載の電源制御装置。
【請求項４】
前記通信手段は外部端末に前記監視手段による被制御装置の監視結果を通知することを特徴とする請求項１乃至３のいずれか１項に記載の電源制御装置。
【請求項５】
前記記憶手段は、前記電源制御装置の正常時の消費電流値をさらに記憶し、
前記監視手段は、前記記憶手段に記憶された電源制御装置の正常時の消費電流値に基づいて、当該電源制御装置自体の状態の監視を行うことを特徴とする請求項２に記載の電源制御装置。
【請求項６】
前記識別情報及び前記条件データの少なくともいずれか一方を記憶する外部記憶媒体が前記複数の接続手段のいずれかに接続されたときに、前記監視手段は、当該外部記憶媒体に記憶された識別情報及び条件データの少なくともいずれか一方に基づいて、前記記憶手段に記憶された識別情報及び条件データの入れ換え又は前記記憶手段に記憶された識別情報及び条件データの少なくともいずれか一方の書き換えを実行することを特徴とする請求項１に記載の電源制御装置。
【請求項７】
コンピュータを、
それぞれ被制御装置が接続される複数の接続手段、
各接続手段に接続された被制御装置に供給する電流の消費電流値を計測すると共に、計測された消費電流値に応じて前記被制御装置に供給する電流のオン／オフを制御する制御手段、
前記被制御装置に対して所定のコマンドを送信し、その応答を受信する通信手段、
各接続手段に関連付けられた識別情報及び前記制御手段による前記被制御装置への電流供給のオン／オフを決定する各接続手段に関連付けられた条件を規定する条件データを記憶する記憶手段、及び
前記制御手段により計測された被制御装置の消費電流値に基づいて当該被制御装置の状態を監視すると共に、前記通信手段が受信した前記所定のコマンドに対する応答により前記被制御装置の死活状態を監視する監視手段として機能させ、
前記監視手段は、前記条件データに基づいて、前記制御手段による電流供給のオン／オフを制御し、前記複数の被制御装置が入れ換えられて前記複数の接続手段に接続されたときに、前記監視手段は、当該複数の被制御装置の入れ換え先に応じて前記記憶手段に記憶された識別情報及び条件データの入れ換えを実行することを特徴とするプログラム。
【発明の詳細な説明】
【技術分野】
【０００１】
本発明は、被制御装置への電源供給を制御する電源制御装置及びプログラムに関する。
【背景技術】
【０００２】
従来より、分散コンピュータのＡＣ電源が投入されたにもかかわず、正常稼働しない場合に、原因（ＤＣ電源異常、ＡＣ電源異常、通信異常など）を特定することができる電源制御装置が知られている（例えば、特許文献１参照）。
【０００３】
この電源制御装置は、ホストコンピュータからの電源投入指示により分散コンピュータにＡＣ電源を投入するＡＣ電源制御部と、分散コンピュータからＤＣ電圧値を受信するＤＣ検出部と、分散コンピュータとの通信を行う通信制御部と、ＡＣ電源制御部、ＤＣ検出部及び通信制御部から通知されたＡＣ電源状態、ＤＣ電源状態及び通信状態を電源状態テーブルに記憶する制御部と、電源状態テーブルをホストコンピュータに通知するホスト通信部とを備えている。
【特許文献１】特開平１０−６３３７８号公報
【発明の開示】
【発明が解決しようとする課題】
【０００４】
しかしながら、特許文献１の電源制御装置は、分散コンピュータの監視の用途に限定されており、被制御装置は分散コンピュータに固定されており、汎用性がない。また、ＡＣ電源やＤＣ電源は、オン状態、オフ状態、起動時の状態及び待機状態を採ることがあるが、特許文献１の電源制御装置は、ＡＣ電源やＤＣ電源の異常を検出するに留まり、これらの状態を正確に判断することができない。
【０００５】
本発明の目的は、正確に被制御装置の状態を監視することが可能な電源制御装置及びプログラムを提供することにある。
【課題を解決するための手段】
【０００６】
上記目的を達成するため、本発明の電源制御装置は、それぞれ被制御装置が接続される複数の接続手段と、各接続手段に接続された被制御装置に供給する電流の消費電流値を計測すると共に、計測された消費電流値に応じて前記被制御装置に供給する電流のオン／オフを制御する制御手段と、前記被制御装置に対して所定のコマンドを送信し、その応答を受信する通信手段と、各接続手段に関連付けられた識別情報及び前記制御手段による前記被制御装置への電流供給のオン／オフを決定する各接続手段に関連付けられた条件を規定する条件データを記憶する記憶手段と、前記制御手段により計測された被制御装置の消費電流値に基づいて当該被制御装置の状態を監視すると共に、前記通信手段が受信した前記所定のコマンドに対する応答により前記被制御装置の死活状態を監視する監視手段とを備え、前記監視手段は、前記条件データに基づいて、前記制御手段による電流供給のオン／オフを制御し、前記複数の被制御装置が入れ換えられて前記複数の接続手段に接続されたときに、前記監視手段は、当該複数の被制御装置の入れ換え先に応じて前記記憶手段に記憶された識別情報及び条件データの入れ換えを実行することを特徴とする。
【０００７】
かかる構成によれば、被制御装置を二重の方法で監視するので、正確に被制御装置の状態を監視することができる。尚、死活状態とは、通信経路を介して有効に被制御装置に通信可能な状態又は通信不可能な状態を示す。所定のコマンドとはpingコマンドである。
【０００８】
好ましくは、前記記憶手段は、前記複数の被制御装置の正常な電源オン時の消費電流値、前記複数の被制御装置の正常な電源オフ時の消費電流値、前記複数の被制御装置の正常な待機時の消費電流値、及び前記複数の被制御装置の正常な起動時の消費電流値を記憶し、前記監視手段は、前記制御手段により計測された電流値と前記記憶手段に記憶された各種の消費電流値とを比較することにより、前記複数の被制御装置の状態を判断することを特徴とする。
【０００９】
かかる構成によれば、監視手段は、現在の被制御装置の状態が、正常時の電源オンの状態、正常時の電源オフの状態、正常時の待機状態、正常時の起動時の状態及びこれらの異常時の状態のいずれであるかを判断することができる。
【００１０】
好ましくは、前記監視手段は、前記複数の被制御装置の監視結果に基づいて、前記複数の被制御装置に供給する電流をオン又はオフにするように前記制御手段を制御する、及び前記複数の被制御装置の監視結果に基づいて、前記複数の被制御装置を再起動させるように前記制御手段を制御するのうちいずれか一方を実行することを特徴とする。
【００１１】
かかる構成によれば、監視結果に基づいて被制御装置を制御することができる。
【００１２】
好ましくは、前記通信手段は外部端末に前記監視手段による被制御装置の監視結果を通知することを特徴とする。
【００１３】
かかる構成によれば、被制御装置の監視結果を遠隔地にいるユーザに通知することができる。
【００１４】
より好ましくは、前記記憶手段は、前記電源制御装置の正常時の消費電流値をさらに記憶し、前記監視手段は、前記記憶手段に記憶された電源制御装置の正常時の消費電流値に基づいて、当該電源制御装置自体の状態の監視を行うことを特徴とする。
【００１５】
かかる構成によれば、被制御装置だけでなく電源制御装置自体の状態の監視もできる。
【００１８】
さらに好ましくは、前記識別情報及び前記条件データの少なくともいずれか一方を記憶する外部記憶媒体が前記複数の接続手段のいずれかに接続されたときに、前記監視手段は、当該外部記憶媒体に記憶された識別情報及び条件データの少なくともいずれか一方に基づいて、前記記憶手段に記憶された識別情報及び条件データの入れ換え又は前記記憶手段に記憶された識別情報及び条件データの少なくともいずれか一方の書き換えを実行することを特徴とする。
【００１９】
かかる構成によれば、識別情報及び条件データの少なくともいずれか一方を記憶する外部記憶媒体を使って、記憶手段に記憶された識別情報及び条件データの入れ換え又は記憶手段に記憶された識別情報及び条件データの少なくともいずれか一方の書き換えが実行され、適切な条件データに基づいて被制御装置を制御することができる。
【００２０】
上記目的を達成するため、本発明のプログラムは、コンピュータを、それぞれ被制御装置が接続される複数の接続手段、各接続手段に接続された被制御装置に供給する電流の消費電流値を計測すると共に、計測された消費電流値に応じて前記被制御装置に供給する電流のオン／オフを制御する制御手段、前記被制御装置に対して所定のコマンドを送信し、その応答を受信する通信手段、各接続手段に関連付けられた識別情報及び前記制御手段による前記被制御装置への電流供給のオン／オフを決定する各接続手段に関連付けられた条件を規定する条件データを記憶する記憶手段、及び前記制御手段により計測された被制御装置の消費電流値に基づいて当該被制御装置の状態を監視すると共に、前記通信手段が受信した前記所定のコマンドに対する応答により前記被制御装置の死活状態を監視する監視手段として機能させ、前記監視手段は、前記条件データに基づいて、前記制御手段による電流供給のオン／オフを制御し、前記複数の被制御装置が入れ換えられて前記複数の接続手段に接続されたときに、前記監視手段は、当該複数の被制御装置の入れ換え先に応じて前記記憶手段に記憶された識別情報及び条件データの入れ換えを実行することを特徴とする。
【００２１】
かかる構成によれば、被制御装置を二重の方法で監視するので、正確に被制御装置の状態を監視することができる。
【発明の効果】
【００２２】
本発明によれば、正確に被制御装置の状態を監視することができる。
【発明を実施するための最良の形態】
【００２３】
以下、図面を参照しながら本発明の実施の形態を説明する。
【００２４】
図１は、本発明の実施の形態に係る電源制御装置を含むシステムの概略構成図である。
【００２５】
図１のシステムは、電源制御装置１、外部電源３、外部端末５及び被制御装置６〜９を備えている。電源制御装置１は、装置全体を制御する制御部１１（監視手段）、各種のプログラムやテーブルデータなどを記憶する記憶部１２（記憶手段）、外部端末５又は被制御装置６〜９と通信するための通信部１３（通信手段）、及びポート１４ａ〜１７ａから被制御装置６〜９に供給する電流を計測すると共に被制御装置６〜９に供給する電流のオン／オフを制御する電流計・オン／オフ制御部１４〜１７（制御手段）、現在の日時を計時するタイマー１８を備えている。電流計・オン／オフ制御部１４〜１７は、ポート１４ａ〜１７ａ（接続手段）を備えており、ポート１４ａ〜１７ａは電源ラインでそれぞれ被制御装置６〜９に接続されている。タイマー１８は、制御部１１に接続されており、現在の日時の情報を制御部１１に通知する。
【００２６】
通信部１３は、ネットワーク４を介して無線又は有線で外部端末５及び被制御装置６〜９と接続されており、ＩＣＭＰのプロトコルで被制御装置６〜９にpingコマンドを送信し、その応答を受信する。また、通信部１３は、電源制御装置１及び被制御装置６〜９の状態（オン状態、オフ状態、起動時の状態、待機状態及び故障状態を含む）を電子メール等で外部端末５に送信する。
【００２７】
外部端末５は、コンピュータ又は携帯電話等で構成されている。被制御装置６〜９は、コンピュータ、モニタ、プリンタ、ＦＡＸ機又はスキャナなどのように、電流で稼働する装置であれば、どのようなものであってもよい。
【００２８】
制御部１１及び電流計・オン／オフ制御部１４〜１７には、１つの外部電源３が接続され、電流計・オン／オフ制御部１４〜１７を介して被制御装置６〜９に電流を供給し、制御部１１を介して、他の各部に電源を供給する。
【００２９】
図１において、四角形の破線内の番号は、各ポートに付された設定番号を示し、円内の番号はポート番号を示す。設定番号の初期値については、図１に示したように、ポート１４ａ〜１７ａに対して順番に１〜４が設定されている。これらの各ポートの設定番号及びポート番号は、条件データと共にテーブルデータとして記憶部１２に記憶される。図２（Ａ）に、設定番号、ポート番号及び条件データを含むテーブルデータの例を示す。
【００３０】
ここで、条件データとは、電流供給の実行又は中止を決定する条件を規定するデータであり、例えば、ポート１４ａ〜１７ａに供給する電流が合計１５Ａを超える場合には、一番最後に電源供給の要求をした被制御装置が接続されているポートからの電流供給をオフにする、午後１１時から午前７時まではポート１４ａからの電流供給をオフにする、又は被制御装置６〜９は待機状態をとる若しくはとらないなどである。
【００３１】
設定番号及び条件データは、外部端末５を介して、ユーザが手動で変更したり、又は制御部１１が自動処理により変更又は編集することができ、さらに、ネットワーク４及び通信部１３を介した被制御装置６〜９からの通知により制御部１１が変更又は編集することができる。例えば、被制御装置８、９を付け替えてポート１６ａ，１７ａ（ポート番号３，４）に接続すると、図２（Ｂ）に示すように、制御部１１は、ポート番号３に対応する設定番号を「３」から「４」に変更し、条件データを「ｃ」から「ｄ」に変更する。同時に、制御部１１は、ポート番号４に対応する設定番号を「４」から「３」に変更し、条件データを「ｄ」から「ｃ」に変更する（図２（Ｃ）参照）。このように、各ポートに接続される被制御装置を付け替えても、各被制御装置と設定番号及び条件データとの関係は維持され、各被制御装置に設定された電流制御を正確に実行することができる。
【００３２】
また、例えば、設定番号のみが変更された場合は（設定番号を「３」から「４」に変更）、制御部１１は、設定番号と条件データとの関係を維持するように、条件データを変更する（条件データを「ｃ」から「ｄ」に変更）。条件データのみが変更された場合は（条件データを「ｃ」から「ｄ」に変更）、制御部１１は、設定番号と条件データとの関係を維持するように、設定番号を変更する（設定番号を「３」から「４」に変更）。図２（Ａ）の状態から、設定番号に対応するポート番号を入れ替える方法でもよい。
【００３３】
尚、ユーザが外部端末５を介して設定番号又は条件データの内容を編集する場合には、設定番号と条件データとの関係は維持されない。
【００３４】
また、例えば、ポート１４ａ〜１７ａが不図示の記憶媒体接続用の端子（例えば、ＵＳＢ端子など）を備える場合に、図３に示すように、設定番号及び条件データの少なくともいずれか一方を記憶した記憶媒体２１がポート１４ａに接続されると、制御部１１は、当該記憶媒体２１に記憶されている設定番号及び条件データの少なくともいずれか一方を読み出し、記憶部１２に記憶されているテーブルデータの内容を編集する、即ち、テーブルデータ内の設定番号及び条件データの少なくともいずれか一方の入れ換え又は書き換えを行う。図４（Ａ）にテーブルデータ内の条件データを記憶媒体２１に記憶された条件データで書き換える例を示し、図４（Ｂ）にテーブルデータ内の設定番号及び条件データを記憶媒体２１に記憶された条件データで入れ換える例を示し、図４（Ｃ）にテーブルデータ内の設定番号及び条件データを記憶媒体２１に記憶された設定番号で入れ換える例を示す。尚、設定番号及び条件データを書き換える場合には、設定番号及び条件データを記憶媒体２１に記憶しておくが、設定番号及び条件データを入れ換える場合には、設定番号及び条件データのいずれか一方を記憶媒体２１に記憶しておく。
【００３５】
このように、設定番号及び条件データの少なくともいずれか一方を記憶する記憶媒体２１を使って、記憶部１２に記憶された設定番号及び条件データの入れ換え又は記憶部１２に記憶された設定番号及び条件データの少なくともいずれか一方の書き換えが実行されるので、適切な条件データに基づいて被制御装置６〜９を制御することができる。
【００３６】
記憶媒体２１は、例えばＵＳＢメモリ等で構成され、ポート１４ａ〜１７ａのいずれにも接続可能である。また、記憶媒体２１は、例えばポート１４ａと被制御装置６とを接続する電源ケーブルに組み込まれていてもよい。この場合、制御部１１が記憶媒体２１にアクセスできるように、電源ケーブルには通信用のラインも含まれる。
【００３７】
図５（Ａ）は、被制御装置６がモニタの場合におけるオフ／待機／オンの各状態での消費電流を示す図であり、図５（Ｂ）は、被制御装置６がコンピュータの場合におけるオフ／待機／オンの各状態での消費電流を示す図であり、図５（Ｃ）は、被制御装置６〜９の消費電流の合算値を示す図である。尚、図５（Ａ），（Ｂ）では、被制御装置の代表として被制御装置６を用いる。
【００３８】
図５（Ａ）〜（Ｃ）に示すように、例えば、電源制御装置１が被制御装置６〜９に供給可能な最大値は１５Ａ（アンペア）であるとする。
【００３９】
図５（Ａ）において、電源がオフの場合のモニタの消費電流は０Ａである。待機状態は、モニタの主電源が「オン」であり、リモコンの電源ボタンが「オフ」の状態であり、この場合、消費電流は、０．０１〜０．３Ａである。モニタの主電源及びリモコンの電源ボタンが「オン」の状態であるが、映像が表示されていない場合には、消費電流は、２〜２．５Ａである。モニタの主電源及びリモコンの電源ボタンが「オン」の状態であり、映像が表示されている場合には、消費電流は、３．５〜４Ａである。
【００４０】
モニタの主電源及びリモコンの電源ボタンが「オン」の状態であり、映像が表示されているべき状態であるにも係わらず、消費電流が３．５Ａよりも低い場合、例えば、消費電流が２．５Ａより大きく３．５Ａより小さい場合、制御部１１は、映像出力源が故障している又はモニタの表示部が故障していると判断する。
【００４１】
図５（Ｂ）において、電源がオフの場合のコンピュータの消費電流は０Ａである。待機状態のコンピュータの消費電流は、０．２〜０．５Ａである。コンピュータの起動時の消費電流は、３．５〜４Ａであり、コンピュータの安定動作時（通常時）の消費電流は、２〜３．５Ａである。例えば、コンピュータの消費電流が０．５Ａより大きく２Ａより小さい場合、制御部１１は、コンピュータが故障していると判断する。
【００４２】
上述した消費電流の値は、一例であり、実際に電源制御装置１を使用する場合には、電流計・オン／オフ制御部１４〜１７で被制御装置６〜９の消費電流を計測し、制御部１１はこれらの値を記憶部１２に記憶する。
【００４３】
図５（Ｃ）では、例えば、被制御装置６〜９が正常動作するモニタであるとする。この場合、モニタ１台の消費電流は最大で４Ａなので、４台のモニタに電流を供給すると、電流供給の最大値である１５Ａを超える。そこで、制御部１１は、条件データに基づいて、１台のモニタには電流を供給しないように、即ち、１台のモニタ分の電流供給をオフにするように電流計・オン／オフ制御部１４〜１７を制御する。
【００４４】
また、例えば、被制御装置６〜９がコンピュータの場合には、起動時のコンピュータ１台の消費電流は最大で４Ａなので、４台のコンピュータに同時に電流を供給すると、電流供給の最大値である１５Ａを超える。そこで、制御部１１は、条件データに基づいて、４台のコンピュータに同時に電流を供給しないように、即ち、１〜３台のモニタの電流供給のタイミングを遅くするように電流計・オン／オフ制御部１４〜１７を制御する。
【００４５】
図６は、電源制御装置１の制御部１１が実行する処理を示すフローチャートである。本処理を実行する前に、予め被制御装置６〜９の消費電流を計測し、制御部１１はこれらの値を記憶部１２に記憶しているものとする。
【００４６】
まず、制御部１１は、自側処理を実行する（ステップＳ１）。自側処理とは、電源制御装置１自体が故障しているか否かを判断する処理である。自側処理の詳細は後述する。
【００４７】
次いで、制御部１１は、ポート処理を実行する（ステップＳ２）。ポート処理とは、主として、各ポート１４ａ〜１７ａから被制御装置６〜９に供給する電流に基づいて、被制御装置６〜９の故障判断を実行する処理、及びpingコマンドを被制御装置６〜９に送信し、その応答を被制御装置６〜９から受信するか否かにより、被制御装置６〜９の死活を判定する処理である。ポート処理の詳細は後述する。
【００４８】
次に、制御部１１は、利用者要求及び自動の処理を実行する（ステップＳ３）。利用者要求及び自動の処理とは、外部端末５からの要求又は条件データに基づいて、制御部１１が実行する処理である。利用者要求及び自動の処理の詳細は後述する。
【００４９】
これらのステップＳ１〜Ｓ３の処理は、電源制御装置１に電源が投入されている間、繰り返し実行される。
【００５０】
図７は、図６のステップＳ１の自側処理の詳細を示すフローチャートである。
【００５１】
まず、制御部１１は、外部電源３から供給される電源の電圧と電源制御装置１自体の消費電流を測定する（ステップＳ５）。次いで、制御部１１は、電源制御装置１自体が正常であるか否かを判別する（ステップＳ６）。具体的には、制御部１１は、自身、記憶部１２、通信部１３、電流計・オン／オフ制御部１４〜１７及びタイマー１８に供給される消費電流値のデータを予め記憶しており、この電流値のデータと実際の消費電流値とを比較して、電源制御装置１自体が正常であるか否かを判別している。
【００５２】
ステップＳ６でＹＥＳの場合には、本処理を終了する。ステップＳ６でＮＯの場合には、制御部１１は、電源制御装置１の是正措置を実行する（ステップＳ７）。具体的には、制御部１１は、電源制御装置１の是正措置として、外部端末５に通信部１３を介して電源制御装置１が故障している旨を記載した電子メールを送信したり、電源制御装置１に不図示の故障警告ランプがある場合には、当該故障警告ランプを点灯する。
【００５３】
図８は、図６のステップＳ２のポート処理の詳細を示すフローチャートである。
【００５４】
まず、制御部１１は、電流計・オン／オフ制御部１４で測定されたポート１４ａから出力されている消費電流の値を取得し、記憶部１２に保存する（ステップＳ１１）。尚、後述するステップＳ２０でＮＯと判別され、再度ステップＳ１１の工程を実行する場合には、ポート１５ａから出力されている消費電流の値が記憶部１２に保存される。即ち、各ポート１４ａ〜１７ａから出力されている消費電流の値がステップＳ１１〜Ｓ２０のループにより順番に記憶部１２に保存される。以下の工程では、ポート１４ａを例として説明するが、ステップＳ１１〜Ｓ２０のループによりポート１５ａ〜１７ａについても同様の工程が実行される。
【００５５】
制御部１１は、電流計・オン／オフ制御部１４がポート１４ａからの電流出力をオンにしているか否かを判別する（ステップＳ１２）。
【００５６】
ステップＳ１２でＹＥＳの場合には、制御部１１は、電流出力オン時のチェック処理を実行する（ステップＳ１３）。ステップＳ１２でＮＯの場合には、制御部１１は、電流出力オフ時のチェック処理を実行する（ステップＳ１４）。電流出力オン時のチェック処理では、制御部１１は、ポート１４ａからの電流出力をオンにしている状態で、被制御装置６の消費電流値や状態、並びに電源制御装置１及び被制御装置６の正常／異常などをチェックするが、詳細は後述する。電流出力オフ時のチェック処理では、制御部１１は、ポート１４ａからの電流出力をオフにしている状態で、電源制御装置１及び被制御装置６の正常／異常などをチェックするが、詳細は後述する。
【００５７】
制御部１１は、ステップＳ１３の電流出力オン時のチェック処理又はステップＳ１４の電流出力オフ時のチェック処理の判定結果に応じた各種の処置を実行する（ステップＳ１５）。電流出力オン時のチェック処理の判定結果とは、後述する図９のステップＳ２４、Ｓ２５、Ｓ２７、Ｓ２８、Ｓ３０、Ｓ３２又はＳ３３を示し、電流出力オフ時のチェック処理の判定結果とは、後述する図１０のステップＳ４２、Ｓ４４又はＳ４５を示している。
【００５８】
チェック処理の判定結果が図９のステップＳ２４の場合には、ステップＳ１５において、制御部１１は、被制御装置６への電流供給を一旦オフにし所定時間経過後に当該電流供給をオンにするように電流計・オン／オフ制御部１４を制御する、又は被制御装置６が条件データの内容と異なり、異常な待機状態にある旨を記載した電子メールを外部端末５に送信する。チェック処理の判定結果が図９のステップＳ２５の場合には、ステップＳ１５において、制御部１１は、被制御装置６が正常な待機状態にある旨を記載した電子メールを外部端末５に送信する又は何もしない。チェック処理の判定結果が図９のステップＳ２７の場合には、ステップＳ１５において、制御部１１は、被制御装置６への電流供給を一旦オフにし所定時間経過後に当該電流供給をオンにするように電流計・オン／オフ制御部１４を制御する、又は被制御装置６が待機状態にならない旨を記載した電子メールを外部端末５に送信する。チェック処理の判定結果が図９のステップＳ２８の場合には、ステップＳ１５において、制御部１１は、被制御装置６が正常な待機状態にある旨を記載した電子メールを外部端末５に送信する又は何もしない。チェック処理の判定結果が図９のステップＳ３０の場合には、ステップＳ１５において、制御部１１は、外部端末５に通信部１３を介して電源制御装置１が故障している旨を記載した電子メールを送信したり、電源制御装置１に不図示の故障警告ランプがある場合には、当該故障警告ランプを点灯する。チェック処理の判定結果が図９のステップＳ３２の場合には、ステップＳ１５において、制御部１１は、外部端末５に通信部１３を介して被制御装置６が故障している旨を記載した電子メールを送信する。チェック処理の判定結果が図９のステップＳ３３の場合には、ステップＳ１５において、制御部１１は、外部端末５に通信部１３を介して電源ケーブル等が故障している旨を記載した電子メールを送信する。
【００５９】
チェック処理の判定結果が図１０のステップＳ４２の場合には、ステップＳ１５において、制御部１１は、外部端末５に通信部１３を介して電源制御装置１が故障している旨を記載した電子メールを送信したり、電源制御装置１に不図示の故障警告ランプがある場合には、当該故障警告ランプを点灯する。チェック処理の判定結果が図１０のステップＳ４４の場合には、ステップＳ１５において、制御部１１は、外部端末５に通信部１３を介して被制御装置６が故障している旨を記載した電子メールを送信する。チェック処理の判定結果が図１０のステップＳ４５の場合には、ステップＳ１５において、制御部１１は、通信部１３を介して電源制御装置１及び被制御装置６が正常である旨を記載した電子メールを外部端末５に送信する又は何もしない。このように、図８のステップＳ１５の各種の処置は、電流出力オン時及び電流出力オフ時のチェック処理の判定結果に応じて、様々な態様を採ることができる。
【００６０】
次いで、制御部１１は、通信部１３及びネットワーク４を介して被制御装置６にpingコマンドを送信し（ステップＳ１６）、被制御装置６から当該pingコマンドに対する応答を受信したか否かを判別する（ステップＳ１７）。
【００６１】
ステップＳ１７でＹＥＳの場合には、ステップＳ２０に進む。一方、ステップＳ１７でＮＯの場合には、制御部１１は、pingコマンドの送信回数が所定回数（例えば５回）に達したか否かを判別する（ステップＳ１８）。このpingコマンドの送信回数は、通信部１３及びネットワーク４を介して外部端末５から設定され、上述したテーブルデータと共に記憶部１２に記憶される、又は記憶媒体２１に記憶される。
【００６２】
ステップＳ１８でＮＯの場合には、ステップＳ１６に戻る。一方、ステップＳ１８でＹＥＳの場合には、被制御装置６が異常である旨を記載した電子メールを外部端末５に送信し（ステップＳ１９）、ステップＳ２０に進む。
【００６３】
最後に、制御部１１は、全てのポートの確認が終了したか否かを判別する（ステップＳ２０）。ステップＳ２０でＹＥＳの場合には、本ポート処理を終了する。一方、ステップＳ２０でＮＯの場合には、次のポートの確認を行うために、ステップＳ１１に戻る。
【００６４】
次に、図９を参照しながら、電流出力オン時のチェック処理を説明する。
【００６５】
まず、制御部１１は、予め記憶部１２に記憶している被制御装置６の消費電流値と、図８のステップＳ１１で電流計・オン／オフ制御部１４から取得した消費電流値とを比較し、ポート１４ａからの電流出力のオンの状態が正しいか否かを判別する（ステップＳ２１）。
【００６６】
ステップＳ２１でＹＥＳの場合には、制御部１１は、予め記憶部１２に記憶している被制御装置６の消費電流値と、図８のステップＳ１１で電流計・オン／オフ制御部１４から取得した消費電流値とを比較し、図８のステップＳ１１で電流計・オン／オフ制御部１４から取得した消費電流値が、被制御装置６が待機状態時に採りうる消費電流値であるかを判別する（ステップＳ２２）。
【００６７】
ステップＳ２２で電流計・オン／オフ制御部１４から取得した消費電流値が待機状態時に採りうる消費電流値であると判別された場合には、制御部１１は、ポート１４ａの条件データに基づいて、被制御装置６が待機状態になることが認められているか否かを判別する（ステップＳ２３）。
【００６８】
ステップＳ２３でＹＥＳの場合には、制御部１１は、図８のステップＳ１１で電流計・オン／オフ制御部１４から取得した消費電流値が待機状態の電流値として正常であると判定し（ステップＳ２５）、図８のステップＳ１５に進む。この場合、図８のステップＳ１５では、制御部１１は、被制御装置６が正常な待機状態にある旨を記載した電子メールを外部端末５に送信する又は何もしない。
【００６９】
ステップＳ２３でＮＯの場合には、制御部１１は、被制御装置６が待機状態になることが認められていないので、電流計・オン／オフ制御部１４から取得した消費電流値が異常であると判定し（ステップＳ２４）、図８のステップＳ１５に進む。この場合、図８のステップＳ１５では、制御部１１は、被制御装置６への電流供給を一旦オフにし所定時間経過後に当該電流供給をオンにするように電流計・オン／オフ制御部１４を制御する、又は被制御装置６が条件データの内容と異なり、異常な待機状態にある旨を記載した電子メールを外部端末５に送信する。
【００７０】
ステップＳ２２で電流計・オン／オフ制御部１４から取得した消費電流値が待機状態時に採りうる消費電流値でない場合には、ステップＳ２６に進む。被制御装置６が待機状態に入ることが認められていて、被制御装置６は安定動作開始から所定時間（例えば１分）が経過したら自動的に待機状態になる場合において、制御部１１は、タイマー１８からの計時情報に基づいて被制御装置６への電流供給をオンにしてからの経過時間を計測し、所定時間（例えば１分）経過しても被制御装置６が待機状態にならないか否かを判別する（ステップＳ２６）。
【００７１】
ステップＳ２６でＹＥＳの場合には、制御部１１は、本来待機状態になるべき被制御装置６が未だ待機状態にならないので、被制御装置６の状態が異常であると判定し（ステップＳ２７）、図８のステップＳ１５に進む。この場合、図８のステップＳ１５では、制御部１１は、被制御装置６への電流供給を一旦オフにし所定時間経過後に当該電流供給をオンにするように電流計・オン／オフ制御部１４を制御する、又は被制御装置６が待機状態にならない旨を記載した電子メールを外部端末５に送信する。
【００７２】
ステップＳ２６でＮＯの場合には、被制御装置６が待機状態になるので、制御部１１は、被制御装置６の状態が正常であると判定し（ステップＳ２８）、図８のステップＳ１５に進む。この場合、図８のステップＳ１５では、制御部１１は、被制御装置６が正常な待機状態にある旨を記載した電子メールを外部端末５に送信する又は何もしない。
【００７３】
ステップＳ２１でＮＯの場合には、制御部１１は、予め記憶部１２に記憶している電源制御装置１の消費電流値と、実際の消費電流値とを比較し、電源制御装置１自体が正常であるか否かを判別する（ステップＳ２９）。
【００７４】
ステップＳ２９でＮＯの場合には、制御部１１は、電源制御装置１が異常であると判定し（ステップＳ３０）、図８のステップＳ１５に進む。この場合、図８のステップＳ１５では、外部端末５に通信部１３を介して電源制御装置１が故障している旨を記載した電子メールを送信したり、電源制御装置１に不図示の故障警告ランプがある場合には、当該故障警告ランプを点灯する。
【００７５】
ステップＳ２９でＹＥＳの場合には、制御部１１は、予め記憶部１２に記憶している被制御装置６の消費電流値と、図８のステップＳ１１で電流計・オン／オフ制御部１４から取得した消費電流値とを比較し、図８のステップＳ１１で電流計・オン／オフ制御部１４から取得した消費電流値が、被制御装置６がオフ時に採りうる消費電流値であるかを判別する（ステップＳ３１）。
【００７６】
ステップＳ３１でＮＯの場合には、制御部１１は、被制御装置６が異常であると判定し（ステップＳ３２）、図８のステップＳ１５に進む。この場合、図８のステップＳ１５では、制御部１１は、外部端末５に通信部１３を介して被制御装置６が故障している旨を記載した電子メールを送信する。
【００７７】
ステップＳ３１でＹＥＳの場合には、制御部１１は、被制御装置６と電源制御装置１とを接続する電源ケーブルなどが異常であると判定し（ステップＳ３３）、図８のステップＳ１５に進む。この場合、図８のステップＳ１５では、制御部１１は、外部端末５に通信部１３を介して電源ケーブル等が故障している旨を記載した電子メールを送信する。
【００７８】
次に、図１０を参照しながら、電流出力オフ時のチェック処理を説明する。
【００７９】
まず、制御部１１は、予め記憶部１２に記憶している電源制御装置１の消費電流値と、実際の消費電流値とを比較し、電源制御装置１自体が正常であるか否かを判別する（ステップＳ４１）。
【００８０】
ステップＳ４１でＮＯの場合には、制御部１１は、電源制御装置１が異常であると判定し（ステップＳ４２）、図８のステップＳ１５に進む。この場合、図８のステップＳ１５では、外部端末５に通信部１３を介して電源制御装置１が故障している旨を記載した電子メールを送信したり、電源制御装置１に不図示の故障警告ランプがある場合には、当該故障警告ランプを点灯する。
【００８１】
ステップＳ４１でＹＥＳの場合には、制御部１１は、予め記憶部１２に記憶している被制御装置６の消費電流値と、図８のステップＳ１１で電流計・オン／オフ制御部１４から取得した消費電流値とを比較し、図８のステップＳ１１で電流計・オン／オフ制御部１４から取得した消費電流値が、被制御装置６がオフ時に採りうる消費電流値であるかを判別する（ステップＳ４３）。
【００８２】
ステップＳ４３でＮＯの場合には、制御部１１は、被制御装置６が異常であると判定し（ステップＳ４４）、図８のステップＳ１５に進む。この場合、図８のステップＳ１５では、制御部１１は、外部端末５に通信部１３を介して被制御装置６が故障している旨を記載した電子メールを送信する。
【００８３】
ステップＳ４３でＹＥＳの場合には、制御部１１は、電源制御装置１及び被制御装置６は正常であると判定し（ステップＳ４５）、図８のステップＳ１５に進む。この場合、図８のステップＳ１５では、制御部１１は、通信部１３を介して電源制御装置１及び被制御装置６が正常である旨を記載した電子メールを外部端末５に送信する又は何もしない。
【００８４】
上述した図９の電流出力オン時のチェック処理、及び図１０の電流出力オフ時のチェック処理では、制御部１１は、被制御装置６の消費電流値や状態、並びに電源制御装置１及び被制御装置６の正常／異常などをチェックしていたが、電流出力オン時及び電流出力オフ時のチェック処理は、これに限定されるものではない。例えば、記憶部１２に、（１）被制御装置６は待機状態にならない、（２）ポート１４ａからの電流出力をオンにしている状態では、被制御装置６の消費電流値は３Ａ以上である、（３）７時〜２３時はポート１４ａからの電流出力をオフにしない、の３つの条件データが登録されている場合、制御部１１は、電流出力オン時のチェック処理としてこれらの３つの条件を満たすか否かを順番にチェックする。ここで、条件（１）がＮＯで且つ条件（２）（３）がＯＫの場合には、図８のステップＳ１５の処理として、制御部１１は、例えば、被制御装置６を再起動するために被制御装置６への電流供給を一旦オフにし所定時間経過後に当該電流供給をオンにするように電流計・オン／オフ制御部１４を制御する又は被制御装置６が待機状態になっている旨を記載した電子メールを外部端末５に送信する。条件（２）がＮＯで且つ条件（１）（３）がＯＫの場合には、図８のステップＳ１５の処理として、制御部１１は、例えば、被制御装置６の消費電流値が異常値になっている旨を記載した電子メールを外部端末５に送信する。条件（３）がＮＯで且つ条件（１）（２）がＯＫの場合には、図８のステップＳ１５の処理として、制御部１１は、例えば、１９時〜２３時はポート１４ａからの電流出力をオフにすることが禁止されている旨を記載した電子メールを外部端末５に送信する。
【００８５】
図１１は、図６のステップＳ３の利用者要求及び自動の処理の詳細を示すフローチャートである。尚、ポート及び被制御装置の代表例としてポート１４ａ及び被制御装置６を使用して本処理を説明するが、ポート１５ａ〜１７ａ及び被制御装置７〜９についても本処理は実行される。
【００８６】
まず、制御部１１は、外部端末５からの利用者要求又は条件データからの自動要求があるかを確認する（ステップＳ５１）。具体的には、制御部１１は、外部端末５からの利用者要求及び条件データからの自動要求を蓄積する待ち行列を備えており、この待ち行列を確認することでこれらの要求があるかを確認することができる。
【００８７】
次に、制御部１１は、ポート１４ａから被制御装置６への電流供給をオフからオンにする要求があるか否かを判別する（ステップＳ５２）。
【００８８】
ステップＳ５２でＹＥＳの場合には、制御部１１は条件データに基づいて、被制御装置６への電流供給をオフからオンにすることが可能であるか否かを判断する（ステップＳ５３）。例えば、被制御装置６への電流供給をオフからオンにしても、消費電流の合計が１５Ａを超えない場合、又は午後１１時から午前７時まではポート１４ａからの電流供給をオフにすることが予め設定されており、現在の時刻が午後３時の場合には、制御部１１は被制御装置６への電流供給をオフからオンにすることが可能であると判別する。一方、被制御装置６への電流供給をオフからオンにすると、突入電流の影響で消費電流の合計が１５Ａを超える場合、又は午後１１時から午前７時まではポート１４ａからの電流供給をオフにすることが予め設定されており、現在の時刻が午前３時の場合には、制御部１１は被制御装置６への電流供給をオフからオンにすることが可能でないと判別する。
【００８９】
尚、ポート１４ａに対する条件データが複数ある場合には、その全ての条件データを満たす場合に、制御部１１は被制御装置６への電流供給をオフからオンにすることが可能であると判別し、１つでも条件データを満たさない場合には、制御部１１は被制御装置６への電流供給をオフからオンにすることが可能でないと判別する。
【００９０】
ステップＳ５３でＹＥＳの場合には、制御部１１は、ポート１４ａから被制御装置６への電流供給を開始するように電流計・オン／オフ制御部１４を制御する（ステップＳ５４）。これによりポート１４ａから被制御装置６への電流供給が開始される。
【００９１】
制御部１１は、電流計・オン／オフ制御部１４を介して、被制御装置６への電流供給を開始するのと同時に一定期間、被制御装置６の消費電流値をサンプリングし、ピーク値を突入電流値として記憶部１２に保存すると共にオン状態及び待機状態の被制御装置６の消費電流値を保存し（ステップＳ５５）、ステップＳ５７に進む。これにより、被制御装置６〜９の起動時に測定される突入電流値を正確に計測することができる。
【００９２】
ステップＳ５３でＮＯの場合には、制御部１１は、判定結果に基づく処置を実行する（ステップＳ５６）。例えば、制御部１１は、外部端末５に通信部１３を介して被制御装置６への電流供給をオフからオンにできない理由を記載した電子メールを送信する。また、突入電流の影響で、被制御装置６への電流供給をオフからオンにすることができない場合には、被制御装置６への電流供給をオフからオンにするタイミングを遅らせる。
【００９３】
次に、制御部１１は、ポート１４ａから被制御装置６への電流供給をオンからオフにする要求があるか否かを判別する（ステップＳ５７）。
【００９４】
ステップＳ５７でＹＥＳの場合には、制御部１１は条件データに基づいて、被制御装置６への電流供給をオンからオフにすることが可能であるか否かを判断する（ステップＳ５８）。
【００９５】
ステップＳ５８でＹＥＳの場合には、制御部１１は、ポート１４ａから被制御装置６への電流供給を停止するように電流計・オン／オフ制御部１４を制御する（ステップＳ５９）。これによりポート１４ａから被制御装置６への電流供給が停止される。
【００９６】
ステップＳ５８でＮＯの場合には、制御部１１は、判定結果に基づく処置を実行する（ステップＳ６０）。例えば、制御部１１は、外部端末５に通信部１３を介して被制御装置６への電流供給をオンからオフにできない理由（例えば電源の切断を禁止している時間に該当するなど）を記載した電子メールを送信する。
【００９７】
次に、制御部１１は、被制御装置６の消費電流を測定する要求があるか否かを判別する（ステップＳ６１）。
【００９８】
ステップＳ６１でＹＥＳの場合には、制御部１１は、被制御装置６の消費電流の測定結果を電流計・オン／オフ制御部１４から取得し、記憶部１２に保存する（ステップＳ６２）。
【００９９】
最後に、制御部１１は、外部端末５からの利用者要求又は条件データからの自動要求を全て処理したか否かを判別する（ステップＳ６３）。具体的には、制御部１１が備える待ち行列に外部端末５からの利用者要求又は条件データからの自動要求が無ければ、要求を全て処理したと判別する。ステップＳ６３でＮＯの場合には、ステップＳ５２に戻る。一方、ステップＳ６３でＹＥＳの場合には、本処理を終了する。
【０１００】
以上詳細に説明したように、本実施の形態によれば、電流計・オン／オフ制御部１４〜１７が被制御装置６〜９に供給する電流の消費電流値を計測すると共に当該被制御装置６〜９に供給する電流のオン／オフを制御し、通信部１３が被制御装置６〜９に対してpingコマンドを送信し、その応答を受信し、制御部１１が電流計・オン／オフ制御部１４〜１７により計測された被制御装置６〜９の消費電流値に基づいて当該被制御装置６〜９の状態を監視すると共にpingコマンドにより被制御装置６〜９の死活状態を監視する。よって、被制御装置６〜９を二重の方法で監視するので、正確に被制御装置６〜９の状態を監視することができる。
【０１０１】
例えば、被制御装置６〜９の各々が、空港の出国待合い所などに設けられたディスプレイ及びコンピュータのシステムの場合、被制御装置６〜９の管理者は自由に空港の出国待合い所に出入りすることができないため、当該管理者は被制御装置６〜９の状態を目視することが容易ではない。このような環境においても、本実施の形態の電源制御装置１を用いると、被制御装置６〜９を二重の方法で監視することができ、正確に被制御装置６〜９の状態を監視することができる。
【０１０２】
また、電流計・オン／オフ制御部１４〜１７が自動的に被制御装置６〜９に供給する電流の消費電流値を計測するので、ユーザは電源制御装置１に被制御装置６〜９の消費電流を入力する手間を省くことができる。さらに、電流計・オン／オフ制御部１４〜１７は、被制御装置６〜９の起動時に測定される突入電流値も正確に計測することができる。
【０１０３】
また、記憶部１２は、被制御装置６〜９の正常な電源オン時の消費電流値、被制御装置６〜９の正常な電源オフ時の消費電流値、被制御装置６〜９の正常な待機時の消費電流値、及び被制御装置６〜９の正常な起動時の消費電流値を記憶し、制御部１１は、電流計・オン／オフ制御部１４〜１７により計測された電流値と記憶部１２に記憶された各種の消費電流値とを比較することにより、被制御装置６〜９の状態を判断する。よって、制御部１１は、現在の被制御装置６〜９の状態が、正常時の電源オンの状態、正常時の電源オフの状態、正常時の待機状態、正常時の起動時の状態及びこれらの異常時の状態のいずれであるかを判断することができる。
【０１０４】
さらに、制御部１１は、被制御装置６〜９の監視結果に基づいて、被制御装置６〜９に供給する電流をオン又はオフにするように電流計・オン／オフ制御部１４〜１７を制御する、及び被制御装置６〜９の監視結果に基づいて、被制御装置６〜９を再起動させるように電流計・オン／オフ制御部１４〜１７を制御するのうちいずれか一方を実行するので、監視結果に基づいて被制御装置６〜９を制御することができる。
【０１０５】
また、通信部１３は、外部端末５に制御部１１による被制御装置６〜９の監視結果を通知するので、被制御装置６〜９の監視結果を遠隔地にいるユーザに通知することができる。
さらにまた、記憶１２は電源制御装置１の正常時の消費電流値をさらに記憶し、制御部１１は、記憶部１２に記憶された電源制御装置１の正常時の消費電流値に基づいて、当該電源制御装置１自体の状態の監視を行うので、被制御装置６〜９だけでなく電源制御装置１自体の状態の監視もできる。
【０１０６】
また、記憶部１２は、各ポートに関連付けられた設定番号（識別情報）及び各ポートに関連付けられた電流供給のオン／オフを決定する条件を規定する条件データを記憶し、制御部１１は、条件データに基づいて、被制御装置６〜９に供給する電流をオン又はオフにするように電流計・オン／オフ制御部１４〜１７を制御し、被制御装置６〜９が入れ換えられてポート１４ａ〜１７ａに接続されたときに、制御部１１は、被制御装置６〜９の入れ換えに応じて記憶部１２に記憶された設定番号及び条件データの入れ換えを実行するので、被制御装置６〜９が入れ換えられても、適切な条件データに基づいて被制御装置６〜９を制御することができる。
【０１０７】
電源制御装置１はコンピュータ（ＰＣ）で構成されていてもよい。この場合、電源制御装置１の機能を実現するためのソフトウェアのプログラムが記録されている記録媒体を、ＰＣに供給し、ＰＣのＣＰＵが記憶媒体に格納されたプログラムを読み出し実行することによっても、上記実施の形態と同様の効果を奏する。プログラムを供給するための記憶媒体としては、例えば、ＣＤ−ＲＯＭ、ＤＶＤ、又はＳＤカードなどがある。
【０１０８】
また、ＰＣのＣＰＵが、ＰＣの機能を実現するためのソフトウェアのプログラムを実行することによっても、上記実施の形態と同様の効果を奏する。
【０１０９】
尚、本発明は、上述した実施の形態に限定されるものではなく、その要旨を逸脱しない範囲内で種々変形して実施することが可能である。
【図面の簡単な説明】
【０１１０】
【図１】本発明の実施の形態に係る電源制御装置を含むシステムの概略構成図である。
【図２】（Ａ）は、設定番号、ポート番号及び条件データを含むテーブルデータの例を示し、（Ｂ），（Ｃ）は、ポート番号「３」、「４」に対応する設定番号及び条件データが変更される例を示す図である。
【図３】記憶媒体２１がポート１４ａに接続される場合の電源制御装置１の状態を示す図である。
【図４】（Ａ）はテーブルデータ内の条件データを記憶媒体２１に記憶された条件データで書き換える例を示す図であり、（Ｂ）はテーブルデータ内の設定番号及び条件データを記憶媒体２１に記憶された条件データで入れ換える例を示す図であり、（Ｃ）はテーブルデータ内の設定番号及び条件データを記憶媒体２１に記憶された設定番号で入れ換える例を示す図である。
【図５】（Ａ）は、被制御装置６がモニタの場合におけるオフ／待機／オンの各状態での消費電流を示す図であり、（Ｂ）は、被制御装置６がコンピュータの場合におけるオフ／待機／オンの各状態での消費電流を示す図であり、（Ｃ）は、被制御装置６〜９の消費電流の合算値を示す図である。
【図６】電源制御装置１の制御部１１が実行する処理を示すフローチャートである。
【図７】図６のステップＳ１の自側処理の詳細を示すフローチャートである。
【図８】図６のステップＳ２のポート処理の詳細を示すフローチャートである。
【図９】電流出力オン時のチェック処理を示すフローチャートである。
【図１０】電流出力オフ時のチェック処理を示すフローチャートである。
【図１１】図６のステップＳ３の利用者要求及び自動の処理の詳細を示すフローチャートである。
【符号の説明】
【０１１１】
１  電源制御装置
２  電源
３  外部電源
４  ネットワーク
５  外部端末
６〜９  被制御装置
１１  制御部
１２  記憶部
１３  通信部
１４〜１７  電流計・オン／オフ制御部
１４ａ〜１７ａ  ポート
１８  タイマー
【図１】
0005068186.tif 000002
【図２】
0005068186.tif 000003
【図３】
0005068186.tif 000004
【図４】
0005068186.tif 000005
【図５】
0005068186.tif 000006
【図６】
0005068186.tif 000007
【図７】
0005068186.tif 000008
【図８】
0005068186.tif 000009
【図９】
0005068186.tif 000010
【図１０】
0005068186.tif 000011
【図１１】
0005068186.tif 000012